(57)【特許請求の範囲】
【請求項１】
熱負荷に接続された熱媒循環路を通して熱媒を循環させる循環手段、および、前記熱媒を加熱する加熱手段を備えた熱源機が設けられ、
前記熱媒循環路の途中箇所に、戻り側循環路部分の戻り熱媒を往き側循環路部分にバイパス流動させるバイパス路が設けられ、
そのバイパス路からの戻り熱媒と前記熱源機からの往き熱媒との混合比を調整する混合手段と、
その混合手段にて混合された混合熱媒を前記熱媒循環路および前記バイパス路を通して前記熱負荷に循環させる熱負荷側循環手段と、
熱媒循環運転を管理する制御手段とが設けられ、
その制御手段が、熱媒循環運転が指令されると、前記循環手段および前記熱負荷側循環手段を循環作動させ、前記熱源機からの往き熱媒の温度が熱源供給用目標温度になるように前記加熱手段を加熱作動させ、並びに、前記混合熱媒の温度が熱負荷用目標温度になるように前記混合手段を混合作動させる熱媒循環処理を実行するように構成された熱媒供給システムであって、
前記熱媒循環路における前記熱負荷側循環手段の設置箇所に熱媒が存在していることを検出する熱媒検出手段が設けられ、
前記制御手段が、前記熱媒循環処理において、先ず、前記循環手段を循環作動させること、前記熱源機からの往き熱媒の温度が熱源供給用目標温度になるように前記加熱手段を加熱作動させること、並びに、前記熱源機からの往き熱媒が前記熱負荷側へ流動するように前記混合手段を作動させることを実行し、前記熱媒検出手段が熱媒を検出すると、前記熱負荷側循環手段を循環作動させることを実行するように構成されている熱媒供給システム。
【請求項２】
前記制御手段が、前記熱媒循環処理において、前記熱媒循環運転が指令されるに伴って、前記バイパス路を通した熱媒の流動が無いあるいはそれに近いバイパス路閉じ状態になるように前記混合手段を徐々に作動させるように構成されている請求項１に記載の熱媒供給システム。
【請求項３】
前記制御手段が、前記熱媒循環処理において、前記熱媒循環運転が指令されてから設定時間経過すると、前記混合熱媒の温度が熱負荷用目標温度になるように前記混合手段を混合作動させるように構成されている請求項２に記載の熱媒供給システム。
【請求項４】
前記熱媒循環路のうちの前記バイパス路が設けられる一部の循環路部分、前記混合手段、および、前記熱負荷側循環手段とが、一体的に混合ユニットとして備えられている請求項１〜３のいずれか１項に記載の熱媒供給システム。
【発明の詳細な説明】
【０００１】
【発明の属する技術分野】
本発明は、熱負荷に接続された熱媒循環路を通して熱媒を循環させる循環手段、および、前記熱媒を加熱する加熱手段を備えた熱源機が設けられ、前記熱媒循環路の途中箇所に、戻り側循環路部分の戻り熱媒を往き側循環路部分にバイパス流動させるバイパス路が設けられ、そのバイパス路からの戻り熱媒と前記熱源機からの往き熱媒との混合比を調整する混合手段と、その混合手段にて混合された混合熱媒を前記熱媒循環路および前記バイパス路を通して前記熱負荷に循環させる熱負荷側循環手段と、熱媒循環運転を管理する制御手段とが設けられ、その制御手段が、熱媒循環運転が指令されると、前記循環手段および前記熱負荷側循環手段を循環作動させ、前記熱源機からの往き熱媒の温度が熱源供給用目標温度になるように前記加熱手段を加熱作動させ、並びに、前記混合熱媒の温度が熱負荷用目標温度になるように前記混合手段を混合作動させる熱媒循環処理を実行するように構成された熱媒供給システムに関する。
【０００２】
【従来の技術】
上記のような熱媒供給システムは、例えば、特開平９−３１８０８２号公報に開示されているように、床暖房パネルなどの熱負荷に適した温度の熱媒を熱負荷に供給するもので、熱負荷側循環手段および循環手段を循環作動させ、熱源機からの往き熱媒の温度が熱源供給用目標温度になるように加熱手段を加熱作動させ、熱源機からの往き熱媒と熱負荷に供給されてバイパス路からの戻り熱媒とを混合した混合熱媒の温度が熱負荷にて要求されている温度に対応した熱負荷用目標温度になるように混合手段を混合作動させる熱媒循環処理を実行し、熱負荷にて要求されている温度に対応した熱負荷用目標温度の熱媒を熱負荷に供給するものである。
具体的には、熱源機から８０℃の高温水が供給され、この８０℃の高温水とバイパス路からの３０℃の温水を混合させて、６０℃の温水を床暖房パネルなどの熱負荷に供給するようにしている。
【０００３】
ところで、上記熱媒供給システムでは、熱媒循環運転が指令されると、熱媒循環処理を実行することになるが、熱媒循環運転が指令されると、直ちに、熱負荷側循環手段および循環手段を循環作動させ、加熱手段を加熱作動させ、並びに、混合手段を混合作動させて熱媒循環処理を実行するようにしていた。
【０００４】
【発明が解決しようとする課題】
しかしながら、上記従来の熱媒供給システムでは、熱媒循環運転が指令されると、直ちに、熱負荷側循環手段および循環手段を循環作動させ、加熱手段を加熱作動させ、並びに、混合手段を混合作動させるために、熱媒循環路における熱負荷側循環手段の設置箇所に熱媒が存在しないにもかかわらず、熱負荷側循環手段が循環作動されることがあり、熱負荷側循環手段が損傷を受けて、その熱負荷側循環手段の機器の寿命が極端に短くなる虞があった。
具体的に説明を加えると、例えば、熱媒循環路の配管途中の破損などにより、その破損箇所から熱媒が洩れて熱媒循環路における熱負荷側循環手段の設置箇所に熱媒が存在しない状態となり、この場合に、熱負荷側循環手段を循環作動させると、熱負荷側循環手段が空作動することになるので、熱負荷側循環手段が損傷を受けることになる。
【０００５】
ちなみに、熱源機には、熱媒循環路に熱媒を自動的に補給する補給手段が備えられており、この補給手段によって循環手段の設置箇所の管路部分に熱媒が供給された状態で熱媒循環運転が実行されるので、循環手段の空作動を防止して、循環手段の機器の寿命を長く維持することが可能となる。
【０００６】
本発明は、かかる点に着目してなされたものであり、その目的は、熱負荷側循環手段の機器の寿命を極力長く維持することが可能となる熱媒供給システムを提供する点にある。
【０００７】
【課題を解決するための手段】
この目的を達成するために、請求項１に記載の発明によれば、熱負荷に接続された熱媒循環路を通して熱媒を循環させる循環手段、および、前記熱媒を加熱する加熱手段を備えた熱源機が設けられ、前記熱媒循環路の途中箇所に、戻り側循環路部分の戻り熱媒を往き側循環路部分にバイパス流動させるバイパス路が設けられ、そのバイパス路からの戻り熱媒と前記熱源機からの往き熱媒との混合比を調整する混合手段と、その混合手段にて混合された混合熱媒を前記熱媒循環路および前記バイパス路を通して前記熱負荷に循環させる熱負荷側循環手段と、熱媒循環運転を管理する制御手段とが設けられ、その制御手段が、熱媒循環運転が指令されると、前記循環手段および前記熱負荷側循環手段を循環作動させ、前記熱源機からの往き熱媒の温度が熱源供給用目標温度になるように前記加熱手段を加熱作動させ、並びに、前記混合熱媒の温度が熱負荷用目標温度になるように前記混合手段を混合作動させる熱媒循環処理を実行するように構成された熱媒供給システムであって、
前記熱媒循環路における前記熱負荷側循環手段の設置箇所に熱媒が存在していることを検出する熱媒検出手段が設けられ、前記制御手段が、前記熱媒循環処理において、先ず、前記循環手段を循環作動させること、前記熱源機からの往き熱媒の温度が熱源供給用目標温度になるように前記加熱手段を加熱作動させること、並びに、前記熱源機からの往き熱媒が前記熱負荷側へ流動するように前記混合手段を作動させることを実行し、前記熱媒検出手段が熱媒を検出すると、前記熱負荷側循環手段を循環作動させることを実行するように構成されている。
【０００８】
すなわち、制御手段が、熱媒充填運転が指令されると、直ちに、循環手段を循環作動させ、加熱手段を加熱作動させ、並びに、熱源機からの往き熱媒が熱負荷側へ流動するように混合手段を作動させることになるが、熱負荷側循環手段については、熱媒検出手段が熱媒を検出しないときには循環作動をさせず待機させ、熱媒検出手段が熱媒を検出すると循環作動させるものであるから、熱媒循環路における熱負荷側循環手段の設置箇所に熱媒が存在するときのみ熱負荷側循環手段を循環作動させることができるものとなる。
したがって、熱負荷側循環手段の空作動を防止して、熱負荷側循環手段の寿命を極力長く維持することが可能となる熱媒供給システムを供給することが可能となった。
【０００９】
請求項２に記載の発明によれば、前記制御手段が、前記熱媒循環処理において、前記熱媒循環運転が指令されるに伴って、前記バイパス路を通した熱媒の流動が無いあるいはそれに近いバイパス路閉じ状態になるように前記混合手段を徐々に作動させるように構成されている。
【００１０】
すなわち、熱媒循環運転が指令されるに伴って、バイパス路を通した熱媒の流動が無いあるいはそれに近いバイパス路閉じ状態になるように混合手段を急激に作動させたときには、バルブなどの混合手段の急激な開閉作動により熱媒循環路内に発生する異常圧力、すなわちウォーターハンマーにより配管路内が損傷を受けるなどの問題が発生する可能性があるが、熱媒循環運転が指令されるに伴って、バイパス路を通した熱媒の流動が無いあるいはそれに近いバイパス路閉じ状態になるように混合手段を徐々に作動させるので、ウォーターハンマーを防止することができ、前記の如く、ウォーターハンマーの発生による問題の発生を防止することが可能となる。
【００１１】
請求項３に記載の発明によれば、前記制御手段が、前記熱媒循環処理において、前記熱媒循環運転が指令されてから設定時間経過すると、前記混合熱媒の温度が熱負荷用目標温度になるように前記混合手段を混合作動させるように構成されている。
【００１２】
すなわち、請求項２に記載の如く、熱媒循環運転が指令されるに伴って、前記バイパス路を通した熱媒の流動が無いあるいはそれに近いバイパス路閉じ状態になるように前記混合手段を徐々に作動させ、熱媒循環運転が指令されてから設定時間経過すると、混合熱媒の温度が熱負荷用目標温度になるように混合手段を混合作動させるので、熱媒循環運転の初期には、熱源機からの高温の往き熱媒が熱負荷に優先的に供給されることになり、熱媒循環運転における熱負荷の温度の立ち上がりを向上させることが可能となる。
しかも、熱源機からの高温の往き熱媒が十分に熱負荷に供給されて、熱媒循環運転が指令されてから設定時間経過した後は、混合熱媒の温度が熱負荷にて要求されている温度に対応した熱負荷用目標温度になるように混合手段を混合作動させるので、熱負荷にて要求されている温度に適した温度の熱媒を供給することが可能となる。
【００１３】
請求項４に記載の発明によれば、前記熱媒循環路のうちの前記バイパス路が設けられる一部の循環路部分、前記混合手段、および、前記熱負荷側循環手段とが、一体的に混合ユニットとして備えられている。
すなわち、熱媒循環路のうちのバイパス路が設けられる一部の循環路部分、混合手段、および、熱負荷側循環手段とが一体的に備えられているので、混合ユニットを設置するだけで混合手段や熱負荷側循環手段などを設置することができ、混合手段や熱負荷側循環手段などの設置作業が容易なものとなる。
【００１４】
【発明の実施の形態】
本発明にかかる熱媒供給システムを図面に基づいて説明する。
この熱媒供給システムは、図１および２に示すように、熱負荷としての床暖房パネル１と、この床暖房パネル１に接続された熱媒循環路２を通して熱媒を循環させる循環手段などを備えた熱源機４と、熱媒循環路２の途中箇所に設けられたバイパス路３からの戻り熱媒と熱源機４からの往き熱媒との混合比を調整する混合手段９などを備えた混合ユニット５と、熱媒循環運転を管理する制御手段６に動作指令を指令するリモコン操作部７などから構成されている。
【００１５】
前記混合ユニット５は、その運転がユニット側制御手段８により管理され、熱媒循環路２における戻り側循環路部分２ｂの戻り熱媒を往き側循環路部分２ａにバイパス流動させるバイパス路３が設けられる一部の循環路部分２ｃと、バイパス路３からの戻り熱媒と熱源機４からの往き熱媒との混合比を調整する混合手段としてのミキシングバルブ９と、このミキシングバルブ９にて混合された混合熱媒を熱媒循環路２およびバイパス路３を通して床暖房パネル１に循環させる熱負荷側循環手段としての熱負荷側循環ポンプ１０などが備えられている。
また、前記混合ユニット５には、ミキシングバルブ９にて混合された混合熱媒の温度を検出する熱媒検出手段としてのサーミスタ１１が設けられ、熱媒循環路２における往き側循環路部分２ａに、熱源機４側から順にミキシングバルブ９、サーミスタ１１、熱負荷側循環ポンプ１０が設けられ、熱負荷側循環ポンプ１０よりも床暖房パネル１側の往き熱媒の一部をバイパス路３と戻り側循環路部分２ｂとの接続箇所よりも熱源機４側の戻り側循環路部分２ｂにバイパス流動させるユニットバイパス路１２が設けられている。
【００１６】
前記ミキシングバルブ９について説明を加えると、このミキシングバルブ９は、詳細は図示しないが、ステッピングモータ１３を作動させることにより弁本体を作動させて、バイパス路３からの戻り熱媒の流入口と熱源機４からの往き熱媒の流入口との開度を調整して、バイパス路３からの戻り熱媒と熱源機４からの往き熱媒との混合比を調整するように構成され、図３に示すように、ステッピングモータ１３のステップ数を変更することによって、バイパス路３からの戻り熱媒と熱源機４からの往き熱媒との混合比を変更するようにしている。
なお、図３において、低温水側はバイパス路３からの戻り熱媒であり、高温水側は熱源機４からの往き熱媒のことを示している。
【００１７】
前記熱源機４は、図４に示すように、その運転が熱源機側制御手段１４により管理され、補給水タンク１５、加熱手段１６としての熱交換器１７およびこの熱交換器１７を加熱するバーナ１８、循環手段としての循環ポンプ１９などが備えられている。
そして、熱媒循環路２における戻り側循環路部分２ｂに接続される熱媒戻り路２０が補給水タンク１５の入口側に接続され、熱媒循環路２における往き側循環路部分２ａに接続される熱媒往き路２１が熱交換器１７の出口側に接続され、補給水タンク１５の出口側と熱交換器１７の入口側を連通する熱媒連通路２２が設けられ、この熱媒連通路２２の途中箇所に循環ポンプ１９が設けられている。
【００１８】
前記熱媒往き路２１を流動する熱媒を熱媒戻り路２０にバイパス流動させる熱源機バイパス路２３が設けられ、熱媒戻り路２０には、熱媒戻り路２０を流動する熱媒の温度を検出する熱媒戻りサーミスタ２４が設けられ、熱媒往き路２１には、熱媒往き路２１を流動する熱媒の温度を検出する熱媒往きサーミスタ２５が設けられている。
前記補給水タンク１５に給水するためのタンク給水路２６には、補給水バルブ２７と補給水電磁弁２８が設けられ、補給水タンク１５には、水位の上限を検出する上限センサ２９と水位の下限を検出する下限センサ３０が設けられ、熱源機側制御手段１４により補給水タンク１５の水位が上限センサと下限センサとの間の水位に維持されるように、補給水バルブ２７と補給水電磁弁２８が制御されるように構成されている。なお、オーバーフロー路３１も補給水タンク１５に接続されている。
【００１９】
前記バーナ１８に燃料ガスを供給する燃料供給路３２には、燃料供給を断続する電磁操作式の断続弁３３、燃料供給量（バーナ１８の燃焼量）を変更調節自在な電磁操作式のガス量調節弁３４が備えられ、バーナ１８に燃焼用空気を供給するファン３５も設けられ、バーナ１８の近くには、バーナ１８に対する点火動作を実行するイグナイタ３６と、バーナ１８が着火されているか否かを検出するフレームロッド３７とがそれぞれ備えられている。
【００２０】
前記リモコン操作部７には、熱媒循環運転を指令する運転スイッチ３８、床暖房パネル１の室内温度を設定する温度設定スイッチ３９、温度設定スイッチ３９にて設定された室内温度などを表示する表示部４０などが備えられている。
また、ユニット側制御手段８の基板上には、熱媒充填運転を指令する熱媒充填運転指令手段としての水張りスイッチ４１が設けられている。
【００２１】
そして、ユニット側制御手段８および熱源機側制御手段１４とから構成されている制御手段６は、リモコン操作部７の運転スイッチ３８の押し操作により、熱媒循環運転が指令されると、循環ポンプ１９および熱負荷側循環ポンプ１０を循環作動させ、熱源機４からの往き熱媒の温度が熱源供給用温度になるように加熱手段１６を加熱作動させ、並びに、混合熱媒の温度が熱負荷用目標温度になるようにミキシングバルブ９を混合作動させる熱媒循環処理を実行するように構成されている。
また、前記制御手段６は、水張りスイッチ４１のＯＮ操作により、熱媒充填運転が指令されると、循環ポンプ１９および熱負荷側循環ポンプ１０を循環作動させ、熱源機４からの往き熱媒の温度が熱源供給用温度になるように加熱手段１６を加熱作動させ、並びに、バイパス路３を通した熱媒の流動が無いあるいはそれに近いバイパス路閉じ状態（全開状態）にミキシングバルブ９を作動させる熱媒充填処理を実行するように構成されている。
【００２２】
前記熱媒循環処理について説明を加えると、前記制御手段６は、熱媒循環運転が指令されるに伴って、バイパス路３を通した熱媒の流動が無いあるいはそれに近いバイパス路閉じ状態（全開状態）にミキシングバルブ９を徐々に作動させながら、循環ポンプ１９を循環作動させ、熱源機４からの往き熱媒の温度が熱源供給用温度（例えば、８０℃）になるように加熱手段１６を加熱作動させることを実行し、サーミスタ１１の検出温度が作動用設定温度（例えば、５４℃）以上になり、熱負荷側循環ポンプ１０の設置箇所に熱媒を検出すると、熱負荷側循環ポンプ１０を作動させることを実行する。
そして、前記制御手段は、熱媒循環運転が指令されてから設定時間が経過すると、混合熱媒の温度が熱負荷用目標温度になるようにミキシングバルブ９を混合作動させることを実行する。
【００２３】
このようにして、熱媒循環運転においては、図１に示すように、熱源機４からの往き熱媒がミキシングバルブ９によりバイパス路３からの戻り熱媒と混合されて、熱負荷側循環ポンプ１０の循環作動により、熱媒循環路２およびバイパス路３を通して床暖房パネル１に熱媒を循環供給することになる。
なお、混合ユニット５内における往き側循環路部分２ａを流動する熱媒の一部がユニットバイパス路１２を通して熱源機４に流動可能とし、混合ユニット５内における戻り側循環路部分２ｂの一部が熱源機４に戻り側循環路部分２ｂを通して熱源機４に流動可能としている。
【００２４】
そして、リモコン操作部７の運転スイッチ３８が再度押し操作されると、循環ポンプ１９の循環作動および加熱手段１６の加熱作動を停止させて熱源機４の運転を停止させ、熱源機４からの往き熱媒の流動が無いあるいはそれに近い熱媒循環路閉じ状態（全閉状態）にミキシングバルブ９を作動させることを実行し、サーミスタ１１の検出温度が停止用設定温度（例えば、６０℃）以下になると、熱負荷側循環ポンプ１０の循環作動を停止させる熱媒循環処理の停止処理を実行するように構成されている。
【００２５】
前記熱媒充填処理について説明を加えると、この熱媒充填処理は、熱源機４の補給水タンク１５の水位が上限センサ２９と下限センサ３０の間にあるときに実行されるようにしており、前記制御手段６は、熱媒充填運転が指令されると、先ず、循環ポンプ１９を循環作動させ、熱源機４からの往き熱媒の温度が熱源供給用温度（例えば、８０℃）になるように加熱手段１６を加熱作動させ、並びに、バイパス路３を通した熱媒の流動が無いあるいはそれに近いバイパス路閉じ状態（全開状態）にミキシングバルブ９を作動させることを実行し、サーミスタ１１の検出温度が作動用設定温度（例えば、５４℃）以上になり、熱負荷側循環ポンプ１０の設置箇所に熱媒を検出すると、熱負荷側循環ポンプ１０を作動させることを実行する。
【００２６】
なお、この実施形態では、熱媒充填運転において、熱源機４からの往き熱媒の温度を熱源供給用目標温度になるように加熱手段１６を加熱作動させるようにしているが、加熱手段１６を加熱作動させずに、熱源機４から補給水タンク１５の水を床暖房パネル１および熱媒循環路２に充填するようにしてもよい。
【００２７】
すなわち、熱媒充填運転においては、図２に示すように、バイパス路３を通した熱媒の流動が無いあるいはそれに近いバイパス路閉じ状態（全開状態）にミキシングバルブ９を作動させ、バイパス路３の熱媒の流動を阻止した状態で、熱源機４からの往き熱媒により床暖房パネル１および熱媒循環路２の熱媒の充填が行われることになる。
【００２８】
また、前記熱媒循環運転および熱媒充填運転において、サーミスタ１１の検出温度が作動用設定温度（例えば、５４℃）以上になり、熱媒循環路２における熱負荷側循環ポンプ１０の設置箇所に熱媒を検出すると、熱負荷側循環ポンプ１０を作動させることによって、常に、熱媒循環路２における熱負荷側循環ポンプ１０の設置箇所に熱媒が存在する状態で熱負荷側循環ポンプ１０を循環作動させることが可能となり、熱負荷側循環ポンプ１０の空回りなどを防止して、熱負荷側循環ポンプ１０が損傷を受けることを防止して、熱負荷側循環ポンプ１０の寿命を極力長く維持することが可能となる。
ちなみに、補給水タンク１５により熱媒連通路２２における循環ポンプ１９の設置箇所に熱媒が補給されるので、熱媒連通路２２における循環ポンプ１９の設置箇所に熱媒が存在する状態で循環ポンプ１９を循環作動させ、循環ポンプ１９の空作動を防止して、循環ポンプ１９の寿命も長く維持することが可能となる。
【００２９】
そして、熱媒充填運転が指令されてから停止用設定時間が経過するか、または、水張りスイッチ４１がＯＦＦ操作されると、循環ポンプ１９の循環作動および加熱手段１６の加熱作動を停止させて熱源機４の運転を停止させ、熱源機４からの往き熱媒の流動が無いあるいはそれに近い熱媒循環路閉じ状態（全閉状態）にミキシングバルブ９を作動させることを実行し、サーミスタ１１の検出温度が停止用設定温度以下になると、熱負荷側循環ポンプ１０の循環作動を停止させる熱媒充填処理の停止処理を実行するように構成されている。
【００３０】
前記ユニット側制御手段８は、リモコン操作部７と双方向通信自在に接続され、リモコン操作部７からの熱媒循環運転の指令が指令されると、混合ユニット５の運転を管理するとともに、その熱媒循環運転の指令を中継して熱源機側制御手段１４に指令し、かつ、ユニット側制御手段８の基板上に設けられた水張りスイッチ４１により熱媒充填運転が指令されると、混合ユニット５の運転を管理するとともに、熱媒充填運転を熱源機側制御手段１４に指令するように構成されている。
そして、ユニット側制御手段８は、熱媒循環運転および熱媒充填運転の指令に基づいて、サーミスタ１１の検出温度が設定温度以上となり、熱負荷側循環ポンプ１０の設置箇所に熱媒を検出すると、熱負荷側循環ポンプ１０を循環作動させるとともに、バイパス路３からの戻り熱媒と熱源機４からの往き熱媒との混合比を調整するようにミキシングバルブ９の混合作動を制御するように構成されている。
【００３１】
前記ミキシングバルブ９の混合作動について説明を加えると、熱媒循環運転が指令されるに伴って、バイパス路３を通した熱媒の流動が無いあるいはそれに近いバイパス路閉じ状態（全開状態）になるようにステッピングモータ１３のステップ数を徐々に変更させるようにしている。
すなわち、バイパス路３を通した熱媒の流動が無いあるいはそれに近いバイパス路閉じ状態（全開状態）になるようにステッピングモータ１３のステップ数を徐々に変更させることによって、ミキシングバルブ９の急激な開閉作動、気体の混入などにより発生する異常圧力、すなわちウォーターハンマーの発生を防止している。
しかも、熱媒循環運転の初期には、バイパス路３を通した熱媒の流動が無いあるいはそれに近いバイパス路閉じ状態（全開状態）になるようにしているので、熱源機４からの高温の往き熱媒が床暖房パネル１に優先的に供給されることになり、熱媒循環運転における床暖房パネルの温度の立ち上がりを向上させるようにしている。
そして、熱媒循環運転が指令されてから設定時間が経過して、リモコン操作部７による設定室内温度が低温状態であるときに、混合熱媒の温度が熱負荷用目標温度（例えば、５４℃〜６４℃）になるように、サーミスタ１１の検出温度に基づいてステッピングモータ１３のステップ数を調整するようにしている。
【００３２】
また、熱媒充填指令が指令されると、バイパス路３を通した熱媒の流動が無いあるいはそれに近いバイパス路閉じ状態（全開状態）になるようにステッピングモータ１３のステップ数を変更させるようにしている。
【００３３】
前記熱源機側制御手段１４は、ユニット側制御手段８により中継されるリモコン操作部７からの指令などに基づいて、循環ポンプ１９を循環作動させるとともに、熱源機４からの往き熱媒の温度が熱源供給用目標温度になるように加熱手段１６を加熱作動させるように構成されている。
【００３４】
前記加熱手段１６の加熱作動について説明を加えると、ファン３５による通風作動を開始し、かつ、断続弁３３を開弁させてガス量調節弁３４を点火用ガス量になるように開弁調整するとともに、イグナイタ３６によってバーナ１８へ着火し、フレームロッド３７によって確認する。
その後、循環ポンプ１９の循環作動による循環量、熱媒戻りサーミスタ２４の検出情報、および、熱媒往きサーミスタ２５の検出情報に基づいて、熱源機４からの往き熱媒の温度が熱源供給用目標温度（例えば、８０℃）になるようにバーナ１８の燃焼量を調整するようにしている。
【００３５】
前記制御手段６の熱媒循環運転および熱媒充填運転のそれぞれを、図５および６のフローチャートに基づいて説明する。
まず、熱媒循環運転について説明すると、リモコン操作部７の運転スイッチ３８が押し操作されて、熱媒循環運転が指令されると、図５に示すように、循環ポンプ１９を循環作動させ、加熱手段１６を加熱作動させて熱源機４の運転を開始し、バイパス路を通した熱媒の流動が無いあるいはそれに近いバイパス路閉じ状態（全開状態）にミキシングバルブ９を徐々に作動させる（ステップ１）。
そして、サーミスタ１１の検出温度、すなわちサーミスタ温度が作動用設定温度（例えば、５４℃）以上になると、熱負荷側循環ポンプ１０を循環作動させて、熱媒循環運転が指令されてから設定時間（例えば、３０分）経過して、リモコン操作部７による設定室内温度が低温状態である低温運転のときには、混合熱媒の温度が熱負荷用目標温度（例えば、５４℃〜６４℃）になるようにミキシングバルブ９をミキシング混合作動させる（ステップ２〜６）。
【００３６】
このようにして、熱源機４からの往き熱媒とバイパス路３からの戻り熱媒とがミキシングバルブ９にて混合された混合熱媒が床暖房パネル１に供給されて、室内を暖房するようにしているが、リモコン操作部７の運転スイッチ３８が再度押し操作されて、熱媒循環運転の停止が指令されると、循環ポンプ１９の循環作動および加熱手段１６の加熱作動を停止させて熱源機４の運転を停止させ、熱源機４からの往き熱媒の流動が無いあるいはそれに近い熱媒循環路閉じ状態（全閉状態）にミキシングバルブ９を作動させる（ステップ７，８）。
そして、サーミスタ１の検出温度、すなわちサーミスタ温度が停止用設定温度（例えば、６０℃）以下になると、熱負荷側循環ポンプ１０の循環作動を停止させる（ステップ９，１０）。
【００３７】
次に、熱媒充填処理について説明すると、水張りスイッチ４１がＯＮ操作されて、熱媒充填運転が指令されると、循環ポンプ１９を循環作動させ、加熱手段１６を加熱作動させて熱源機４の運転を開始し、バイパス路を通した熱媒の流動が無いあるいはそれに近いバイパス路閉じ状態（全開状態）にミキシングバルブ９を作動させる（ステップ１１）。
そして、サーミスタ１１の検出温度、すなわちサーミスタ温度が作動用設定温度（例えば、５４℃）以上になると、熱負荷側循環ポンプ１０を作動させる（ステップ１２，１３）。
【００３８】
このようにして、バイパス路を通した熱媒の流動が無いあるいはそれに近いバイパス路閉じ状態（全開状態）で床暖房パネル１および熱媒循環路２に熱媒が充填され、熱媒充填運転が指令されてから停止用設定時間（例えば、２０分）が経過するか、または、水張りスイッチ４１がＯＦＦ操作されて、熱媒充填運転の停止が指令されると、循環ポンプ１９の循環作動および加熱手段１６の加熱作動を停止させて熱源機４の運転を停止させ、熱源機４からの往き熱媒の流動が無いあるいはそれに近い熱媒循環路閉じ状態（全閉状態）にミキシングバルブ９を作動させる（ステップ１４、１５）。
そして、サーミスタ１１の検出温度、すなわちサーミスタ温度が停止用設定温度（例えば、６０℃）以下になると、熱負荷側循環ポンプ１０の循環作動を停止させる（ステップ１６，１７）。
【００３９】
〔別実施形態〕
（１）上記実施形態では、ミキシングバルブ９および熱負荷側循環ポンプ１０などが一体的に混合ユニット５として備えられているが、ミキシングバルブ９および熱負荷側循環ポンプ１０などをそれぞれ各別に設けて実施することも可能である。
【００４０】
（２）上記実施形態では、熱媒充填運転指令手段としての水張りスイッチ４１を混合ユニット５に設けるようにしているが、リモコン操作部７や熱源機４の熱源機側制御手段１４の基板上に設けて実施することも可能である。
【００４１】
（３）上記実施形態では、熱媒循環運転の初期には、バイパス路３を通した熱媒の流動が無いあるいはそれに近いバイパス路閉じ状態（全開状態）にミキシングバルブ９を作動させ、熱媒循環運転が指令されてから設定時間が経過すると、混合熱媒の温度が熱負荷用目標温度になるようにミキシングバルブ９を混合作動させるようにしているが、熱媒循環運転の初期から混合熱媒の温度が熱負荷用目標温度になるようにミキシングバルブ９を混合作動させるようにしてもよい。
【００４２】
（４）上記実施形態では、熱媒検出手段として熱媒循環路２における熱媒の温度を検出するサーミスタ１１を適応した例を示しているが、熱媒循環路２の熱媒の流動量を検出する流動センサなどを適応することも可能であり、熱媒検出手段の構成はサーミスタ以外に各種変更が可能である。
【００４３】
（５）混合ユニット５の運転を管理するユニット側制御手段８と、熱源機４の運転を管理する熱源機側制御手段１４とが各別に設けられているが、例えば、熱源機４および混合ユニット５の運転を管理する制御手段６を設けるようにして実施することも可能である。
【図面の簡単な説明】
【図１】熱媒供給システムの全体概略構成図
【図２】熱媒供給システムの全体概略構成図
【図３】ミキシングバルブにおけるステッピングモータのステップ数と混合比を示す図
【図４】熱源機の全体概略構成図
【図５】熱媒循環運転における制御手段の動作を示すフローチャート
【図６】熱媒充填運転における制御手段の動作を示すフローチャート
【符号の説明】
１              熱負荷
２              熱媒循環路
３              バイパス路
４              熱源機
５              混合ユニット
６              制御手段
９              混合手段
１０            熱負荷側循環手段
１１            熱媒検出手段
１６            加熱手段
１９            循環手段
【図１】
0004059602.tif 000002
【図２】
0004059602.tif 000003
【図３】
0004059602.tif 000004
【図４】
0004059602.tif 000005
【図５】
0004059602.tif 000006
【図６】
0004059602.tif 000007